(57)【要約】  液体によって筆記、マーキング、および／または描画をする器具であって、自由な液体の備蓄をそれぞれ収容することができる主保存部および作業用保存部と、シール着座部、ならびに、ばねの初期応力によりシール着座部に対して封止をするように押圧され、慣性力の作用のもとで軸方向に作業用保存部から離れて封止をする位置から動くことができ、それにより主保存部と作業用保存部の間の接続を成立させるシール本体を有するシール構造と、液体を吐出するために作業用保存部と接続されたアプリケータとを有している、そのような器具において、アプリケータは作業用保存部と接続されるとともにシール構造に対して相対的に定置に保たれており、緩衝部を有し、アプリケータが遊びなく案内された接続管を底面に有する閉止カップが設けられていることを特徴とする器具。
2010531750.tif 000002
【特許請求の範囲】
【請求項１】
液体によって筆記、マーキング、および／または描画をする器具であって、
自由な液体の備蓄をそれぞれ収容することができる主保存部（１０；６８）および作業用保存部（３２，１０２）と、
シール着座部、ならびに、ばねの初期応力により前記シール着座部に対して封止をするように押圧され、慣性力の作用のもとで軸方向に前記作業用保存部から離れて封止をする位置から動くことができ、それにより前記主保存部と前記作業用保存部の間の接続を成立させるシール本体（２８，５６，９５，１２２）を有するシール構造と、
液体を吐出するために前記作業用保存部と接続されたアプリケータ（３６，１０４）とを有している、そのような器具において、
前記アプリケータ（３６）は前記作業用保存部（３２）と接続されるとともに前記シール構造に対して相対的に定置に保たれており、
緩衝部（４８，５０）を取り囲み、前記アプリケータが遊びなく案内された接続管（４６，１１４）を底面に有する閉止カップが設けられていることを特徴とする器具。
【請求項２】
前記アプリケータは縦繊維材料でできていることを特徴とする、請求項１に記載の器具。
【請求項３】
前記アプリケータは液体に対して透過性の外壁を有していることを特徴とする、請求項２に記載の器具。
【請求項４】
前記主保存部には自由に可動の混合体が設けられていることを特徴とする、請求項１から３までのいずれか１項に記載の器具。
【請求項５】
前記主保存部には、中間底面にある少なくとも１つの穴（２２，９２）を介して相互に接続された２つの領域に前記主保存部を区分する中間底面（１６，９０）が設けられていることを特徴とする、請求項１から４までのいずれか１項に記載の器具。
【請求項６】
前記混合体は、前記アプリケータと反対を向いている方の前記主保存部の領域に配置されるとともに、前記中間底面の前記穴を閉じることができるような直径を有していることを特徴とする、請求項４および５に記載の器具。
【請求項７】
前記緩衝部は主緩衝部（４８，１１１）と副緩衝部（５０，１１６）を有していることを特徴とする、請求項１から７までのいずれか１項に記載の器具。
【請求項８】
前記主緩衝部（４８，１１１）は前記アプリケータと嵌合式に接触しており、前記副緩衝部（５０，１１６）は前記主緩衝部と接触していることを特徴とする、請求項７に記載の器具。
【請求項９】
前記主緩衝部（４８，１１１）は互いに平行に配置された複数の積層体を有していることを特徴とする、請求項７または８に記載の器具。
【請求項１０】
前記主緩衝部（４８，１１１）は、前記作業用保存部から離れる方を向く、前記アプリケータが案内される接続管を底面に備えたカップの形態を有する閉止カップの中にあることを特徴とする、請求項１から９までのいずれか１項に記載の器具。
【請求項１１】
前記緩衝部は周囲と接続されていることを特徴とする、請求項７から１０までのいずれか１項に記載の器具。
【請求項１２】
前記作業用保存部には自由に可動の混合球が設けられていることを特徴とする、請求項１から１１までのいずれか１項に記載の器具。
【請求項１３】
前記シール構造は前記シール本体として球を有していることを特徴とする、請求項１から１２までのいずれか１項に記載の器具。
【請求項１４】
前記シール構造は前記シール着座部に封止をするように当接するための頭部を備える樽形または円筒形のシール本体を有していることを特徴とする、請求項１から１２までのいずれか１項に記載の器具。
【請求項１５】
前記シール着座部は挿入されたシールリングまたは射出成形されたシールリング（１２８）を有していることを特徴とする、請求項１４に記載の器具。
【請求項１６】
前記主保存部は換気されていることを特徴とする、請求項１から１５までのいずれか１項に記載の器具。
【請求項１７】
前記主保存部は外壁の穴を介して換気されていることを特徴とする、請求項１６に記載の器具。
【請求項１８】
前記主保存部の中で軸方向に延びる通路を有する、前記主保存部の穴のための流出防止部が設けられていることを特徴とする、請求項１７に記載の器具。
【請求項１９】
前記主保存部は、前記緩衝部が中に配置されたスペースに連通する換気通路を介して換気されていることを特徴とする、請求項１６に記載の器具。
【請求項２０】
前記穴または前記換気通路の手前に別の緩衝部が配置されていることを特徴とする、請求項１７から１９までのいずれか１項に記載の器具。
【請求項２１】
スリーブ（９８）によって案内された、前記シール本体のためのばねが設けられていることを特徴とする、請求項１から２０までのいずれか１項に記載の器具。
【請求項２２】
前記シール本体は案内ピンを有しており、該案内ピンを介して前記シール本体は側方で安定化されるとともに軸方向でスライド可能なように案内されていることを特徴とする、請求項１から２１までのいずれか１項に記載の器具。
【発明の詳細な説明】
【技術分野】
【０００１】
本発明は、液体によって筆記、マーキング、および／または描画をする器具に関する。特に本発明は、場合により塗料インクとも呼ぶ塗料のような液体のための器具に関する。
【背景技術】
【０００２】
特許文献１より、弁によって閉止された筆記液のタンクを有している器具が公知である。筆記先端部の近くで側方に配置されたレバーを介して、筆記先端部を筆記具の中へ押し戻し、そのようにして、筆記液のタンクへのアクセス部を開くことができる。
【０００３】
特許文献２より、消費部へ液体を供給するための液体制御部が公知である。筆記液の流入部は弁を介して制御され、この弁は、筆記先端部が事前設定された量の液体を消費したときに液体流入部を開く。
【０００４】
特許文献３より、筆記先端部がインクタンクと直接接続されている筆記具が公知である。さらに、インクタンクを供給通路と接続するために、インク供給通路とは別個に形成された毛管流動通路が設けられている。
【０００５】
特許文献４より、吐出されるべきインクの備蓄容器を有し、インクを筆記先端部に供給することができる弁構造を有する筆記装置が公知である。この弁構造は、筆記されるべき書類に筆記先端部が押圧されることによって開く。
【０００６】
特許文献５より、備蓄室と保存室とを有する塗料マーカーが公知である。この塗料マーカーは可動の壁部を有しており、この壁部を介して、塗料マーカーの位置が変化したときに保存室から備蓄室へ液体が運ばれる。塗料マーカーが反対方向へ位置変化すると、液体は備蓄室から保存室へと運ばれる。
【０００７】
特許文献６より、筆記液、製図液、印刷液、描画液などを吐出する器具が公知であり、この器具では、筆記されるべき液体は液体室から毛管体を介して塗布部材へ供給される。
【０００８】
特許文献７より、刷毛状の塗布部材を備える、流動性のある素材を塗布する装置が公知である。この器具は軸方向へスライド可能な操作部材を有しており、この操作部材によって逆止め弁と調量ピストンを操作可能である。このとき操作部材は、同時に、器具の塗布部材のためのスライドスリーブとしても意図されている。
【先行技術文献】
【特許文献】
【０００９】
【特許文献１】特開２００３−０７２２７６号公報
【特許文献２】ドイツ特許第１９７０６９６７Ｃ１号明細書
【特許文献３】欧州特許出願公開第０６２４４８３Ｂ１号明細書
【特許文献４】ドイツ実用新案出願公開第２９７２２３１７Ｕ１号明細書
【特許文献５】欧州特許出願公開第１５９８２１２Ａ２号明細書
【特許文献６】国際公開第０１／２６９１４Ａ１号パンフレット
【特許文献７】ドイツ特許出願公開第３８２２４５６Ａ１号明細書
【発明の概要】
【発明が解決しようとする課題】
【００１０】
本発明の課題は、筆記先端部への過剰供給と過小供給が、少ないコストと高い信頼度で回避され、塗料インクの使用時に恒常的に機能性が保たれる、筆記、マーキング、および／または描画をする器具を提供することにある。
【課題を解決するための手段】
【００１１】
本発明によると、この課題は請求項１の構成要件を備える器具によって解決される。好ましい実施形態は従属請求項の対象となっている。
【００１２】
液体によって筆記、マーキング、および／または描画をする本発明の器具は、自由な液体の備蓄のための主保存部と作業用保存部とを有している。作業用保存部は、シール構造を介して主保存部と連結されている。シール構造はシール着座部とシール本体とを有しており、シール本体は、ばねで初期応力をかけられた状態で封止をするようにシール着座部に対して押圧されるとともに、軸方向への力の作用のもとで作業用保存部から離れるように、封止をする位置から動くことができる。本発明による器具におけるシール本体は、器具を軸方向に振ったときに生じるような慣性力によって主保存室と作業用保存室との間の接続部が一時的に解放されるように配置されており、このとき作業用保存室は、主保存室に由来する液体で充填される。さらに本発明の器具では、液体を吐出するために作業用保存室と接続されたアプリケータが設けられている。アプリケータは場合により筆記先端部とも呼ぶ。本発明によるとアプリケータは作業用保存室と接続されており、シール構造に対して相対的に定置に保たれ、すなわち不動に保たれる。さらに、液体を吸収するための緩衝部を取り囲む閉止カップが設けられている。さらに閉止カップは接続管を有しており、この接続管によってアプリケータは遊びなく案内されている。接続管とアプリケータの間で液体が外に出ることはできない。このとき緩衝部は、本発明によるとアプリケータと接触している。
【００１３】
本発明による器具では、従来技術で生じるような一連の欠点は、アプリケータが固定的に支承されていて液体を供給するために動かなくてよいことによって、すでに回避される。しかもアプリケータの不動で固定的な支承は、普通であれば可動のアプリケータを備える器具の場合に設けなくてはならない、高いコストがかかって不具合を起こしやすいシール部材や嵌め合い部の使用を回避する。本発明による器具は、顔料が沈殿するせいで時間の経過とともに堆積物や可動部品の引っかかりにつながる可能性がある塗料インクに特別に適している。
【００１４】
１つの好ましい実施形態では、アプリケータは、液体を作業用保存部から受理して書類へと運ぶ縦繊維材料でできている。アプリケータは、半径方向での液体交換を可能にする透過性の外壁を有しているのが好ましい。アプリケータ材料は素材、多孔度、毛管現象、触感に関して、意図される利用目的に合わせて適合化されている。特にアプリケータ材料の選択時には、意図される筆記液とその特性も考慮される。また、アプリケータが作業用保存部を換気することも考慮に入れるべきである。作業用保存部の容積は、主保存部の容積に比べて小さい。通常、０．１から１．５ｃｍ３を超えない容積があれば十分である。このとき液体柱の重力の圧力、および作業用保存部の残留空気の容積増大は暖かいときに明らかに低減する。
【００１５】
作業用保存部を充填ないし再充填するには、シール本体が着座部から離れて、作業用保存部が主保存部よりも下になる位置へ動くだけで足りる。
【００１６】
１つの好ましい実施形態では、主保存部の中には自由に可動の混合体が設けられている。本発明による器具を使用するとき、混合体は主保存部の中で動き、そのようにして液体中の沈積物を破壊する。
【００１７】
１つの好ましい実施形態では、主保存部の中には、中間底面にある中央の穴を介して相互に接続された２つの領域に主保存部を区切る中間底面が設けられている。１つの好ましい実施形態では、混合体は、アプリケータと反対を向いている方の中間底面の側に配置されており、混合体は、中間底面の穴を混合体によって閉止できるような直径を有している。
【００１８】
余剰の液体を受け入れるために、緩衝部は主緩衝部と副緩衝部を有することができる、主緩衝部はアプリケータと密着して接触しており、副緩衝部は主保存部と直接接触しているのが好ましい。主緩衝部とアプリケータとの間の密着した接触は、液体の容易な移行を可能にする。
【００１９】
１つの好ましい発展例では、閉止カップは、上側が開いていて底面に保持接続管を有し、この保持接続管によってアプリケータが案内される、円筒状のカップの形態で構成されている。接続管はアプリケータを包囲しており、そのようにして液体の堆積を防止する。これに加えて、接続管はアプリケータを器具の先口とともにその所定の位置で保つ。緩衝部はその内面で、閉止カップにより案内されるアプリケータと直接的に接触して設けられているのが好ましい。閉止カップの内部は、換気通路を介して周囲と接続されている。換気通路は、例えばアプリケータが器具から突き出す器具の先口まで延びている。
【００２０】
１つの好ましい実施形態では、緩衝部は周囲と接続されており、それにより、例えば温度変化などに基づく圧力補償を行うことができる。
【００２１】
作業用保存部も、堆積物がアプリケータへ入るのを防止するために、自由に可動の混合体を備えていてよい。シール構造には、シール本体として球が設けられているのが好ましい。別案として、面取りされた頭部を有する円錐形または樽形の本体をシール本体として設けることも可能である。シール構造の改善された封止を実現するために、シール着座部はシールリングを備えるように構成されているのが好ましい。シールリングは挿入されたＯリングとして製作されていてよく、または、リングの形態でシール着座部に射出成形されていてもよい。
【００２２】
本発明による器具では、圧力変動を補償するために、主保存部が換気されるのが好都合である。主保存部は外壁の穴を介して換気することができる。その場合、主保存部の穴の手前には、主保存部で軸方向に延びるカニューレ（管）を備える流出防止部が設けられているのが好都合である。カニューレは、筆記液が主保存部から穴を介して恒常的に外に出られるのではないことを保証する。
【００２３】
別案の実施形態では、主保存部は、緩衝部を含んでいるスペースに連通する換気通路を介して換気される。
【００２４】
穴または換気通路の手前には、液体を吸収して液体の流出を防止するために、別の緩衝部が配置されているのが好ましい。
【００２５】
シール本体は、ばねを介してシール着座部へ初期応力をかけられているのが好ましい。ばねは、意図されないばねの横への動きを防止するために、スリーブによって案内されているのが好都合である。このような案内スリーブは、コイルばねの内部または外部に配置されていてよい。
【００２６】
次に、２つの実施例を参照しながら本発明について詳しく説明する。
【図面の簡単な説明】
【００２７】
【図１】本発明による塗料マーカーを示す縦断面図である。
【図２】図１の塗料マーカーのシール構造の代替的な構成である。
【図３】本発明による第２の塗料マーカーを示す縦断面図である。
【図４】シール構造を示す模式的な図である。
【発明を実施するための形態】
【００２８】
図１は、特に塗料インクで使用するのに好適な本発明による器具を示している。この器具は、上側の保存領域１２と下側の保存領域１４に分割された主保存部１０を有している。上側および下側の保存領域は、中間底面１６によって互いに分離されている。上側の保存領域１２は、その上側端部でキャップ１８により閉じられている。主保存部１０の上側の領域１２には、主保存部の中で自由に動くことができる混合球２０がある。
【００２９】
中間底面１６には、主保存部の上側区域と下側区域を相互につなぐ穴２２が設けられている。アプリケータの方を向いている中間底面１６の側には、中空円筒の形態を有するばね案内部２４が設けられている。ばね案内部２４の中には、シール球２８と協働するばね２６が配置されている。筆記されるべき液体は、主保存部１０の上側領域１２から穴２２を通ってばね案内部２４へ入り、そこで主保存部の下側区域でシール球２８に到達する。上側、下側という用語は、本明細書では図面に示す向きを基準としており、上側はアプリケータから離れる方を向いている部分を指しており、下側はアプリケータの方を向く部分を指している。
【００３０】
下側の保存領域１４の底面はシール着座部３０として構成されている。シール着座部３０は、平滑な円錐形の外壁を有している。
【００３１】
主保存部１０の後には、シール球２８によって主保存部から分離された作業用保存部３２が続いている。図面から明らかにわかるように、作業用保存部３２は主保存部１０よりも、また主保存部の領域１２または１４よりも、明らかに小さい容積を有している。作業用保存部３２の中にも、堆積が生じるのを防ぐ混合球３４が設けられている。作業用保存部は、アプリケータの方を向いている側に、アプリケータが中で保持されたスリーブ３８を有している。スリーブ３８には、主緩衝部４８が物質接合式に一体成形されている。
【００３２】
アプリケータ３６を介して、液体は作業用保存部から出て書類へと運ばれる。
【００３３】
図示した実施例では、アプリケータ３６は一方の端部でスリーブ３８の外套壁により保持されている。すなわち、アプリケータ３６は作業用保存部３２を閉止している。さらにアプリケータ３６は、閉止カップ４０によって案内されている。閉止カップ４０は、周回する側壁４２と、底面４４と、底面４４の中央に配置された接続管４６とを備える円筒状のカップ形状を有している。閉止カップは上方に向かって開くように構成されている。アプリケータ３６は接続管４６の中で、外套面５４の先口とともに案内されている。周回する側壁の中の内部空間は、緩衝部４８を備えている。緩衝部４８はアプリケータ３６の自由区域を包囲している。緩衝部４８と並んで、カップから外に出た液体を吸収するための副緩衝部５０が設けられている。主緩衝部と副緩衝部４８，５０は、通路５２を介して周囲とつながっている。通路５２は、カップ４０、底面４４、および案内接続管の外面と、器具の外側の外套面５４の内面との間に延びている。
【００３４】
図１に示す器具を使用するには、アプリケータとともに器具を下方に向かって軸方向へ加速させることで、例えば振り動かすことで、シール球２８がシール着座部から一時的に持ち上げられ、そのようにして、主保存部の下側領域１４と作業用保存部３２との間の接続が成立する。
【００３５】
図１には、主保存部１０の下側領域１４の２つの異なる実施形態が示されている。考えられる１つの実施形態では、シール着座部を形成する壁部は中実に構成されており、それに対して、別案の実施形態（図１の右側部分を参照）では、シール着座部を形成する壁部は中空に構成されている。例えば中空のチャンバが壁部に設けられていることによって、これら両方の実施形態を組み合わせることもできる。
【００３６】
図２は、シール本体の別案の実施形態を示している。図示しているシール本体５６は、シール着座部６０とともにシール面を同時に形成する球状の頭部５８を有している。シール本体５６は、ばね案内部６４へ突入する円筒状の本体区域６２を有している。図１に示す実施例のところですでに説明したとおり、シール本体はばね６６を介して閉止位置へと押圧される。図１を参照してすでに説明したように、シール本体５６は、主保存部の下側領域１４を作業用保存部３２に対して密閉する。より良い理解に資するために、図２に示す実施形態では、図１に示す構造と一致する部分には同じ符号が付されている。
【００３７】
図２の実施形態も、軸方向へ振り動かすことによって、またはその他の急激な動きによって、シール本体５６がシール着座部から持ち上げられ、それによって液体が流れることができるようになる。
【００３８】
図３は、本発明による器具の別案の実施形態を示している。この実施形態では、主保存部に圧力補償部が追加的に設けられている。主保存部６８は、中央の穴７２を有するキャップ７０で閉じられている。穴７２の内側には緩衝部７４が設けられている。緩衝部７４は、この代替または追加として、側方に配置された穴を介して換気または排気することもできる。緩衝部７４の下方には流出防止部７８が配置されている。間隙として構成することもできる穴７６も、同じく図３に示されている。穴７６は、緩衝部１１６が中に配置されている空間まで外壁に沿って延びる換気通路７７と接続されている。緩衝部１１６は先口を介して周囲と接続されているので、そのようにして、主保存部も換気通路７７を介して周囲と接続されている。
【００３９】
主保存部の中にはカニューレ（管）８０が設けられている。カニューレ８０は、主保存部６８に中心部で突入している。液体による主保存部６８の充填は、主保存部６８へ突入しているカニューレ８０の端部が、器具がどの位置にあるときでも自由に保たれるように行われる。
【００４０】
カニューレによって、緩衝部７４の領域へ入った液体が再び主保存部６８へ流れ戻ることができる。分離壁８２は緩衝部７４の手前で中空スペース８４を形成しており、この中空スペースは穴７２および／または７６を介して周囲と接続されており、したがって周囲圧力を有している。液体は、器具が振り動かされたときにだけ、カニューレ８０を通じて領域８４へ到達することができる。カニューレ８０を介して流れ戻らないこのわずかな液体量は、緩衝部７４によって吸収されるので、いかなる場合でも液体が外に出ることが回避される。
【００４１】
図３に示す実施形態の場合にも、主保存部６８は上側領域８６と下側領域８８に区分されている。これらの領域は中間底面９０によって互いに分離されている。中間壁９０は、貫通孔９２，９４を有している。主保存部６８の下側領域８８には、ばね案内部９８により保持されるばね９６を介してシール着座部１００へ封止をするように押圧されるシール球９５が設けられている。
【００４２】
シール球９５は、アプリケータ１０４へ連通する作業用保存部１０２を閉止する。アプリケータ１０４は、器具の方を向いている端部で、作業用保存部１０２を取り囲む外套壁１０８に保持されている。
【００４３】
アプリケータ１０４の他方の端部は、周回する側壁１１０と、底面１１２と、周回する接続管１１４とを有する閉止カップ１０６によって案内されている。閉止カップの内部では、アプリケータ１０４と密着して接続された緩衝部１１１が側壁１１０の領域に設けられている。閉止カップ１０６は、主保存部６８の方を向く端部で上方に向かって開いており、そこで周囲と接続されている。閉止カップ１０６の上方では、周囲と閉止カップの接続通路が、追加の液体を吸収することができる別の緩衝部１１６によって区切られている。
【００４４】
図３では、外側の外套面の一部が器具の先口まで欠けており、その部分に緩衝部１１６、アプリケータ１０４、および閉止カップ１０６が保持されている。
【００４５】
図４は、追加の混合球１１８を備えるシール構造の別案の実施形態を示している。図２に関する説明のところですでに述べたように、図４に関する説明でも、図４の実施形態で変更されていない図３の部品には同じ符号が付されている。混合球１１８は、主保存部の漏斗形の区域１２０にある。図４に図示している位置のとき、混合球１１８は、主保存部６８の上側領域８６と主保存部６８の下側領域８８とを分離する。主保存部の下側領域８８には、ばね１２４によって封止をする位置へ初期応力をかけられたシール球１２２がある。シール球１２２のシール着座部は、Ｏリング１２６で構成されている。
【００４６】
図３と図４に示す実施例の場合にも、作業用保存部を再充填するために器具全体が振り動かされ、その際に生じる慣性力に基づいて、シール球９５ないし１２２がシール着座部から持ち上げられる。
【図１】
2010531750.tif 000003
【図２】
2010531750.tif 000004
【図３】
2010531750.tif 000005
【図４】
2010531750.tif 000006
【国際調査報告】
2010531750.tif 000007
2010531750.tif 000008
2010531750.tif 000009
2010531750.tif 000010